(57)【要約】【課題】鍵穴への挿入部に詰まったごみを簡単に排出することができる鍵。【解決手段】鍵１は、前方に鍵穴への挿入部２が形成され、後方に挿入部２と一体を成す把手部３が形成される。挿入部２には、鍵１の前後方向へ延びる中空部分１６が形成され、把手部３には、中空部分１６につながって把手部３の後端面１２で開口する中空部分１６に対しての延長部分１３が形成される。【選択図】図３
2006052596.tif 000002
【特許請求の範囲】
【請求項１】
前後方向を有し、前方に錠への挿入部が形成され、後方に前記挿入部と一体を成す把手部が形成され、前記挿入部が管状を成していて径方向断面の中央には前記前後方向へ延びる中空部分が形成されている鍵であって、
前記把手部には、前記中空部分につながり前記前後方向へ延びて前記把手部の前記前後方向における後端で開口する前記中空部分に対しての延長部分が形成されていることを特徴とする前記鍵。
【請求項２】
前記延長部分の径が、前記中空部分の径と同じであるか、前記中空部分の径よりも大きいかのいずれかである請求項１記載の鍵。
【発明の詳細な説明】
【技術分野】
【０００１】
この発明は、錠の鍵穴に挿入して前記錠を施錠、解錠するための鍵に関する。
【背景技術】
【０００２】
従来、シリンダ錠等における鍵穴に鍵の挿入方向へ延びるセンターロッドが形成された錠は周知であり、そのセンターロッドを案内として鍵を挿入することができるように、鍵穴への挿入部が管状に形成された鍵もまた周知である。例えば、（株）栃木屋（東京都千代田区内神田２丁目１１番１号）の２００２年版総合カタログ（非特許文献１）の第１−３９頁には、その種の鍵である品名ＰＫロックなるものが記載されている。鍵は、前方に管状の挿入部を有し、後方に把手部を有している。
【非特許文献１】（株）栃木屋２００２年版総合カタログ
【発明の開示】
【発明が解決しようとする課題】
【０００３】
非特許文献１に記載の鍵は、錠への挿入部が管状で、その径方向断面の中央には、前後方向へ延びる中空部分が形成されている。鍵を鍵穴へ挿入すると、その中空部分には鍵穴の中央に設けられているセンターロッドが進入する。かような挿入部の後方には把手部が形成されており、後方へ延びた中空部分はその把手部で終わっている。この鍵は、その中空部分にごみ等が詰まると、鍵穴への挿入が困難になるということがある。
【０００４】
この発明が課題とするところは、鍵穴への挿入部が管状を成していて、その挿入部には前後方向へ延びる中空部分が形成されている非特許文献１に記載の如き鍵において、その中空部分に詰まったごみ等を簡単に取り除くことができるように改良を施すことにある。
【課題を解決するための手段】
【０００５】
前記課題を解決するために、この発明が対象とするのは、前後方向を有し、前方に錠への挿入部が形成され、後方に前記挿入部と一体を成す把手部が形成され、前記挿入部が管状を成していて径方向断面の中央には前記前後方向へ延びる中空部分が形成されている鍵である。
【０００６】
かかる鍵において、この発明が特徴とするところは、前記把手部に、前記中空部分につながり前記前後方向へ延びて前記把手部の前記前後方向における後端で開口する前記中空部分に対しての延長部分が形成されていること、にある。
【０００７】
この発明の好ましい実施態様において、前記延長部分の径が、前記中空部分の径と同じであるか、前記中空部分の径よりも大きいかのいずれかである。
【発明の効果】
【０００８】
この発明に係る鍵は、鍵穴への挿入部に形成された中空部分が把手部に形成された延長部分につながって把手部の後端で開口しているから、中空部分に詰まったごみ等は、鍵の前方から中空部分に棒を挿入するか、または後方から延長部分に棒を挿入することによって、排出することができる。
【０００９】
この発明の好ましい実施態様においては、延長部分の径が中空部分の径と同じであるか、中空部分の径よりも大きいかのいずれかであるから、鍵の前方から中空部分へ挿入することができる棒であれば、どのような大きさの径を有する棒を使っても、中空部分に詰まったものを確実に排出することができる。
【発明を実施するための最良の形態】
【００１０】
添付の図面を参照して、この発明に係る鍵の詳細を説明すると以下のとおりである。
【００１１】
図１，２は、鍵１の平面図と斜視図である。鍵１は、シリンダー錠２１（図３参照）に使用するもので、前方にはシリンダー錠の鍵穴へ挿入される挿入部２が形成され、後方には挿入部２と一体を成す把手部３が形成されている。挿入部２は、鍵１の前後方向Ｙへ延びる管状部４を有し、その管状部４の周面には、シリンダー錠の鍵穴に符合するように、前後方向Ｙへ延びる上方翼部６と下方翼部７とが形成されていることに加え、シリンダー錠のコードピンを嵌合させる複数の凹部８が形成されている。把手部３は、その側面９にキーホルダーへ取り付けるための透孔１１を有し、後端に形成された面１２に前方へ延びる孔１３が形成されている。
【００１２】
図３は、図１のＩＩＩ−ＩＩＩ線断面図である。挿入部２は把手部３に抜けることがないように一体的に取り付けられていて、前後方向Ｙにおいて挿入部２を貫通し、挿入部２の径方向断面において直径ａの円形を成す中空部分１６を有する。把手部３では、後端面１２に開口する孔１３が中空部分１６につながっている。すなわち孔１３は中空部分１６の延長部分であって、その断面形状が直径ｂの円形を成しており、直径ｂの値は直径ａの値と同じであるか、または直径ａの値よりも大きい。ただし、図示例では、直径ｂが直径ａよりも大きい場合が示されている。図３に仮想線で示されたシリンダー錠２１は、鍵１を使用して施錠、解錠されるものであって、鍵穴２２と、鍵穴２２の中央部に設けられたセンターロッド２３と、鍵穴２２の周面からセンターロッド２３に向かってばね（図示せず）の付勢下に延びるコードピン２４とを有する。センターロッド２３は、鍵穴２２へ挿入される鍵１の中空部分１６への進入と退出とが可能であり、コードピン２４のそれぞれは鍵穴２２へ挿入された鍵１における凹部８への進入と退出とが可能である。鍵穴２２の周面には、鍵１の上方翼部６と下方翼部７とを案内する一対の溝部が形成されており、図３には、その一対の溝部のうちの一方が参照符号２６で示されている。
【００１３】
かように形成されている鍵１では、中空部分１６にごみ等が詰まり、センターロッド２３の中空部分１６への進入、換言すると鍵１の鍵穴２２への進入が困難になることがある。しかし、中空部分１６は把手部３に形成された孔１３につながり、その孔１３が把手部３の後端面１２で開口しているから、中空部分１６または孔１３に適当な棒を挿入することによって、詰まったごみ等を簡単に排出することができる。特に、孔１３の直径ｂが中空部分１６の直径ａよりも大きい場合には、中空部分１６へ挿入することができる棒であるならばどのような太さのものであっても、それを前方または後方から鍵１へ挿入することによって、中空部分１６に詰まったごみ等を確実に鍵１から排出することができる。
【００１４】
なお、この発明は、把手部３に孔１３を設けることに代えて、管状部４を後端面１２にまで延ばし、中空部分１６が後端面１２に開口する態様で実施することもできる。
【産業上の利用可能性】
【００１５】
この発明によれば、錠への挿入部に形成された中空部分に詰まったごみを簡単に排出することができる鍵の製造が可能になる。
【図面の簡単な説明】
【００１６】
【図１】鍵の平面図。
【図２】鍵の斜視図。
【図３】図１のＩＩＩ−ＩＩＩ線断面図。
【符号の説明】
【００１７】
１    鍵
２    挿入部
３    把手部
４    管状部
１２    後端（後端面）
１３    延長部分（孔）
１６    中空部分
【図１】
2006052596.tif 000003
【図２】
2006052596.tif 000004
【図３】
2006052596.tif 000005